(57)【要約】【課題】電力供給がない場合もレンズの位置を保持する。【解決手段】レンズ鏡筒であって、光学部品を保持する保持部と、光学部品の光軸方向に配され保持部と一体的に移動する案内軸と、光軸方向に移動可能に案内軸を支持する支持部と、案内軸を光軸方向に駆動する駆動部と、光軸方向について予め定められた係止位置まで駆動部が案内軸を移動させた場合に案内軸を支持部に対して係止する係止部とを備える。上記レンズ鏡筒において、係止部は、案内軸および支持部を磁力により係止する磁石および磁性体の一方を有してもよい。【選択図】図７
2013178376.tif 000002
【特許請求の範囲】
【請求項１】
光学部品を保持する保持部と、
前記光学部品の光軸方向に配され前記保持部と一体的に移動する案内軸と、
前記光軸方向に移動可能に前記案内軸を支持する支持部と、
前記案内軸を前記光軸方向に駆動する駆動部と、
前記光軸方向について予め定められた係止位置まで前記駆動部が前記案内軸を移動させた場合に前記案内軸を前記支持部に対して係止する係止部と
を備えるレンズ鏡筒。
【請求項２】
前記係止部は、前記案内軸および前記支持部を磁力により係止する磁石および磁性体の一方を有する請求項１に記載のレンズ鏡筒。
【請求項３】
前記係止部は、前記支持部に固定され、前記案内軸と一体的に移動する前記磁石および前記磁性体の一方を吸着する前記磁石および前記磁性体の他方を有する請求項２に記載のレンズ鏡筒。
【請求項４】
前記係止部は、前記駆動部が前記案内軸を前記係止位置から移動させる場合に前記磁石が前記磁性体に作用させる磁力を打ち消す磁力を発生する電磁石を更に有する請求項２または請求項３に記載のレンズ鏡筒。
【請求項５】
少なくとも一部が前記案内軸および前記支持部の間に介在する緩衝部を更に有する請求項２から請求項４までのいずれか一項に記載のレンズ鏡筒。
【請求項６】
前記支持部は、前記案内軸を挿通された案内穴を含む案内部を有し、
前記係止部は、前記案内穴の周囲に配された、前記磁石および前記磁性体のいずれか一方を有する
請求項２から請求項５までのいずれか一項に記載のレンズ鏡筒。
【請求項７】
前記案内軸は、前記磁石および前記磁性体のいずれか一方により形成される請求項２から請求項６までのいずれか一項に記載のレンズ鏡筒。
【請求項８】
前記係止部は、前記係止位置に到達した前記案内軸を挟持する挟持部を有する請求項１に記載のレンズ鏡筒。
【請求項９】
前記係止部は、前記支持部に固定され、前記案内軸と一体的に移動する凸部および凹部の一方と嵌合する前記凸部および前記凹部の他方を有する請求項８に記載のレンズ鏡筒。
【請求項１０】
前記凸部および前記凹部の一方は前記案内軸の周面に形成され、
前記凸部および前記凹部の他方は、前記支持部に固定された板ばねにより形成される
請求項９に記載のレンズ鏡筒。
【請求項１１】
請求項１から請求項１０までのいずれか一項に記載のレンズ鏡筒と、
前記レンズ鏡筒を通じて入射した像光を撮像する撮像部と
を備える撮像装置。
【発明の詳細な説明】
【技術分野】
【０００１】
本発明は、レンズ鏡筒および撮像装置に関する。
【背景技術】
【０００２】
ボイスコイルモータで駆動するレンズを備えたレンズ鏡筒がある（特許文献１参照）。
［特許文献１］  特開２００８−１５１９８８号公報
【発明の概要】
【発明が解決しようとする課題】
【０００３】
ボイスコイルモータのように自己保持性の無いアクチュエータに駆動される部材は、アクチュエータへの電力供給が絶たれると位置が不定になる。
【課題を解決するための手段】
【０００４】
本発明の第一態様として、光学部品を保持する保持部と、光学部品の光軸方向に配され保持部と一体的に移動する案内軸と、光軸方向に移動可能に案内軸を支持する支持部と、案内軸を光軸方向に駆動する駆動部と、光軸方向について予め定められた係止位置まで駆動部が案内軸を移動させた場合に案内軸を支持部に対して係止する係止部とを備えるレンズ鏡筒が提供される。
【０００５】
本発明の第二態様として、上記レンズ鏡筒と、レンズ鏡筒を通じて入射した像光を撮像する撮像部とを備える撮像装置が提供される。
【０００６】
上記発明の概要は、この発明の必要な特徴の全てを列挙したものではない。これらの特徴群のサブコンビネーションもまた発明となり得る。
【図面の簡単な説明】
【０００７】
【図１】一眼レフカメラ１００の模式的断面図である。
【図２】一眼レフカメラ１００の模式的断面図である。
【図３】レンズ鏡筒２００内部の部分的な斜視図である。
【図４】レンズ鏡筒２００内部の部分的な断面図である。
【図５】レンズ鏡筒２００内部の部分的な断面図である。
【図６】レンズ鏡筒２００内部の部分的な断面図である。
【図７】レンズ鏡筒２００内部の部分的な断面図である。
【図８】レンズ鏡筒２００内部の部分的な断面図である。
【図９】レンズ鏡筒２００内部の部分的な断面図である。
【図１０】レンズ鏡筒２００内部の部分的な断面図である。
【図１１】レンズ鏡筒２００内部の部分的な断面図である。
【発明を実施するための形態】
【０００８】
以下、発明の実施の形態を通じて本発明を説明する。下記の実施形態は特許請求の範囲にかかる発明を限定するものではない。下記の実施形態の中で説明されている特徴の組み合わせの全てが発明の解決手段に必須であるとは限らない。
【０００９】
図１は、レンズ鏡筒２００の模式的断面図である。一眼レフカメラ１００は、レンズ鏡筒２００およびカメラボディ３００を備える。
【００１０】
レンズ鏡筒２００は、後端に設けられたレンズ側マウント部２６０によりカメラボディ３００に結合される。レンズ側マウント部２６０およびボディ側マウント部３６０の結合は予め定められた操作に従って解除できる。これにより、カメラボディ３００は、同じ規格のレンズ側マウント部２６０を有する他のレンズ鏡筒２００と組み合わせて使用できる。
【００１１】
なお、説明を簡潔にする目的で、下記の説明においては、カメラボディ３００に装着したレンズ鏡筒２００に対して物体側を、一眼レフカメラ１００の前側または先側と記載する。また、レンズ鏡筒２００に対して物体から遠い側を、一眼レフカメラ１００における後側または背面側と記載する。
【００１２】
レンズ鏡筒２００は、光軸Ｘに沿って配置された第一レンズ群２１０、第二レンズ群２２０、第三レンズ群２３０、第四レンズ群２４０および第五レンズ群２５０により形成された光学系を備える。また、レンズ鏡筒２００は、固定筒２０１、繰り出し筒２１４および移動筒２０３を備える。
【００１３】
固定筒２０１は、後端にレンズ側マウント部２６０を有する。カメラボディ３００前面のボディ側マウント部３６０とレンズ側マウント部２６０とを結合させることにより、固定筒２０１は、カメラボディ３００に対して固定される。
【００１４】
繰り出し筒２１４は、固定筒２０１に対して光軸Ｘと平行な方向に移動可能に、固定筒２０１から支持される。繰り出し筒２１４は、駆動環２１７により駆動されて、固定筒２０１に対して光軸Ｘ方向に移動する。駆動環２１７は、回転アクチュエータ２１８に駆動される駆動ギヤ２１９で回転駆動される。繰り出し筒２１４が固定筒２０１の前方に繰り出された場合は、レンズ鏡筒２００の全長が長くなる。
【００１５】
移動筒２０３は、固定筒２０１に対して、光軸Ｘと平行な方向に移動可能に配される。移動筒２０３は、固定筒２０１の内部で移動し、固定筒２０１の前方まで繰り出されることはない。
【００１６】
第一レンズ群２１０は、繰り出し筒２１４の前端に支持されたレンズ保持枠２１２に保持される。よって、繰り出し筒２１４が進退する場合は、第一レンズ群２１０も進退する。また、繰り出し筒２１４が固定筒２０１に対して前進した場合、第一レンズ群２１０の背面側には、第二レンズ群２２０がＸ軸方向に移動する空間が形成される。
【００１７】
第二レンズ群２２０はレンズ保持枠２２２に保持される。レンズ保持枠２２２は、回転アクチュエータ２２８に回転駆動されるリードスクリュー２２９により並進駆動される。並進するレンズ保持枠２２２は、案内軸２２６に案内されて、光軸Ｘと平行な方向に第二レンズ群２２０を移動させる。
【００１８】
第三レンズ群２３０を保持するレンズ保持枠２３２は、移動筒２０３の前端に固定される。また、第五レンズ群２５０を保持するレンズ保持枠２５２は、移動筒２０３の後端に固定される。よって、移動筒２０３が移動する場合、第三レンズ群２３０および第五レンズ群２５０は、一定の間隔を保ちつつ移動筒２０３と共に光軸Ｘ方向に移動する。
【００１９】
なお、第三レンズ群２３０は、防振レンズ２３４を含む。防振レンズ２３４を保持するレンズ保持枠２３６は、手振れ等に起因する像ぶれを補償すべく、光軸Ｘに対して交差する方向に、防振レンズ２３４を変位させる。
【００２０】
第四レンズ群２４０は、移動筒２０３の内側において第三レンズ群２３０および第五レンズ群２５０の間に配されたレンズ保持枠２４２に保持される。レンズ保持枠２４２は、ボイスコイル２４６、永久磁石２８２およびヨーク２８４を含む並進アクチュエータにより並進駆動される。
【００２１】
ボイスコイル２４６は、レンズ保持枠２４２から、第四レンズ群２４０の径方向に延伸された延伸部２４４に固定される。永久磁石２８２およびヨーク２８４は、移動筒２０３の内側に、長手方向が光軸Ｘと平行になる向きに配される。
【００２２】
これにより、第四レンズ群２４０は、移動筒２０３が移動する場合は、移動筒２０３、第三レンズ群２３０および第五レンズ群２５０と共に、光軸Ｘに平行な方向に移動する。更に、第四レンズ群２４０は、ボイスコイル２４６を含む並進アクチュエータに駆動されて、第三レンズ群２３０および第五レンズ群２５０に対して、光軸Ｘ方向に相対移動する。
【００２３】
カメラボディ３００は、ボディ側マウント部３６０の後方に配されたミラーユニット３７０を備える。ミラーユニット３７０の下方には合焦光学系３８０が配される。ミラーユニット３７０の上方にはフォーカシングスクリーン３５２が配される。
【００２４】
フォーカシングスクリーン３５２の更に上方にはペンタプリズム３５４が配され、ペンタプリズム３５４の後方にはファインダ光学系３５６が配される。ファインダ光学系３５６の後端は、ファインダ３５０としてカメラボディ３００の背面に露出する。
【００２５】
ミラーユニット３７０の後方には、シャッタユニット３１０、ローパスフィルタ３３２、撮像素子３３０、基板３２０および表示部３４０が順次配される。液晶表示板等により形成される表示部３４０は、カメラボディ３００の背面に表われる。基板３２０には、制御部３２２および画像処理部３２４等が実装される。
【００２６】
ミラーユニット３７０は、メインミラー３７１およびサブミラー３７４を含む。メインミラー３７１は、メインミラー回動軸３７３により軸支されたメインミラー保持部３７２に支持される。
【００２７】
サブミラー３７４は、サブミラー回動軸３７６により軸支されたサブミラー保持部３７５に支持される。サブミラー保持部３７５は、メインミラー保持部３７２に対して回動する。よって、メインミラー保持部３７２が回動した場合、サブミラー保持部３７５もメインミラー保持部３７２と共に変位する。
【００２８】
メインミラー保持部３７２の前端が降下した場合、メインミラー３７１は、レンズ鏡筒２００から入射した入射光束上に斜めに位置する。メインミラー保持部３７２が上昇した場合、メインミラー３７１は、入射光束を避けた位置に退避する。
【００２９】
メインミラー３７１が入射光束上に位置する場合、レンズ鏡筒２００を通じて入射した入射光束は、メインミラー３７１に反射されてフォーカシングスクリーン３５２に導かれる。フォーカシングスクリーン３５２は、レンズ鏡筒２００の光学系と共役な位置に配されて、レンズ鏡筒２００の光学系が形成した像を可視化する。
【００３０】
フォーカシングスクリーン３５２上の像は、ペンタプリズム３５４およびファインダ光学系３５６を通じてファインダ３５０から観察される。ここで、ペンタプリズム３５４を通じて像を観察することにより、ファインダ３５０からは正立正像を観察できる。
【００３１】
測光センサ３９０は、ファインダ光学系３５６の上方に配され、分岐されさた入射光束の一部を受光する。測光センサ３９０は、被写体輝度を検出して、制御部３２２に撮影条件の一部である露出条件を算出させる。
【００３２】
メインミラー３７１は、入射光束の一部を透過するハーフミラー領域を有する。サブミラー３７４は、ハーフミラー領域から入射した入射光束の一部を、合焦光学系３８０に向かって反射する。合焦光学系３８０は、入射した入射光束の一部を焦点検出センサ３８２に導く。これにより、制御部３２２は、レンズ鏡筒２００の光学系を合焦させる場合に移動するレンズの目標位置を決定する。
【００３３】
上記のようなレンズ鏡筒２００およびカメラボディ３００を備える一眼レフカメラ１００においてレリーズボタンが半押しされると、焦点検出センサ３８２および測光センサ３９０が有効になり、被写体像を適切な撮影条件で撮影できる状態になる。次いで、レリーズボタンが全押しされると、メインミラー３７１およびサブミラー３７４が退避位置に移動して、シャッタユニット３１０が開く。これにより、レンズ鏡筒２００から入射した入射光束は、ローパスフィルタ３３２を通過して、撮像素子３３０に入射する。
【００３４】
図２は、一眼レフカメラ１００の模式的断面図である。図１と共通の要素には同じ参照番号を付して重複する説明を省く。図示の一眼レフカメラ１００において、レンズ鏡筒２００は縮胴状態にある。
【００３５】
縮胴状態のレンズ鏡筒２００において、繰り出し筒２１４はカメラボディ３００に接近して、固定筒２０１の内部に後退している。レンズ鏡筒２００の全長が短縮されている。これにより、レンズ鏡筒２００の携帯の便宜が図られる。
【００３６】
レンズ鏡筒２００が縮胴状態の場合は、移動筒２０３も後退する。ただし、第四レンズ群２４０は、互いに相対位置が固定された第三レンズ群２３０および第五レンズ群２５０の間に配されているので、レンズ鏡筒２００を縮胴する目的で移動する必要はない。
【００３７】
ただし、一眼レフカメラ１００の電源が遮断された場合は、第四レンズ群２４０を保持するレンズ保持枠２４２も、移動筒２０３内で、規定の初期位置に移動して保持されることが好ましい。これにより、搬送中のレンズ鏡筒２００に加わる振動、衝撃等により第四レンズ群が他の部材に衝突することが防止される。また、規定の初期位置にとどまることにより、一眼レフカメラ１００が次に動作する場合の初期化が迅速になる。
【００３８】
図３は、レンズ鏡筒２００内部の部分的な斜視図であり、第四レンズ群２４０を保持したレンズ保持枠２４２を案内および駆動する機構を示す。図１および図２と共通の要素には同じ参照番号を付して重複する説明を省く。
【００３９】
レンズ保持枠２４２は、第四レンズ群２４０の径方向に延伸された延伸部２４４を有する。延伸部２４４の上端および下端には、それぞれ、ボイスコイル２４６が固定される。これにより、レンズ保持枠２４２は、ボイスコイル２４６と一体的に移動する。
【００４０】
ボイスコイル２４６は、光軸Ｘと平行に延在するヨーク２８４を挿通される。ヨーク２８４はレンズ鏡筒２００の前側で折り返し、再び光軸Ｘと平行に配される。ヨーク２８４には永久磁石２８２が平行に添えられる。
【００４１】
よって、ヨーク２８４の内側には、長手方向に一様な磁界が形成される。これにより、ボイスコイル２４６と永久磁石２８２およびヨーク２８４とは協働してリニアアクチュエータ２８０を形成する。
【００４２】
また、レンズ保持枠２４２の延伸部２４４において、図中左端近傍には係合穴２４９が配される。係合穴２４９には案内軸２４１が挿通される。延伸部２４４の図中右端近傍には案内軸２４３が固定される。これにより、案内軸２４３は、レンズ保持枠２４２と一体的に移動する。
【００４３】
図４は、レンズ鏡筒２００の部分的な断面図であり、光軸Ｘと直交する面により移動筒２０３を、切った様子を示す。図３までと共通の要素には同じ参照番号を付して重複する説明を省く。
【００４４】
リニアアクチュエータ２８０を形成するボイスコイル２４６は、レンズ保持枠２４２の延伸部２４４に固定される。一方、永久磁石２８２およびヨーク２８４は、移動筒２０３内面の図中上端および図中下端に固定される。よって、ボイスコイル２４６に駆動電流が供給された場合、レンズ保持枠２４２は紙面に垂直な駆動力を受ける。
【００４５】
また、レンズ保持枠２４２は、図中の左端および右端において、案内軸２４１、２４３に案内される。図中左側の案内軸２４１は、レンズ保持枠２４２の延伸部２４４に形成された係合穴２４９に挿通される。案内軸２４１と係合穴２４９は、案内軸２４１の径と略等しい間隔の平行面を含む長穴状の形状を有する。他方の案内軸２４３は、延伸部２４４に対して固定される。
【００４６】
このように、一対のリニアアクチュエータ２８０は、光軸Ｘに対して略対称な位置に配される。また、一対の案内軸２４１、２４３も、光軸Ｘに対して略対称な位置に配される。更に、図示の断面において一対のリニアアクチュエータ２８０を結ぶ直線は、同断面において一対の案内軸２４１、２４３を結ぶ直線と略直交する。
【００４７】
このような配置により、リニアアクチュエータ２８０が発生する駆動力は、レンズ保持枠２４２に対して略対称に作用する。また、一対の案内軸２４１、２４３により生じる摺動抵抗も、レンズ保持枠２４２に対して略対称に作用する。よって、リニアアクチュエータ２８０を動作させてレンズ保持枠２４２を移動させる場合に、レンズ保持枠２４２を光軸Ｘに対して傾ける力が生じ難い。
【００４８】
図５は、レンズ鏡筒２００の部分的な断面図であって、図４に点線Ａで示すように、移動筒２０３を、光軸Ｘを含む垂直面で切った様子を示す。図４までと共通の要素には同じ参照番号を付して重複する説明を省く。
【００４９】
移動筒２０３の内部において、永久磁石２８２およびヨーク２８４は、互いに平行に、また、長手方向が光軸Ｘに平行に配される。よって、レンズ保持枠２４２と一体的なボイスコイル２４６に駆動電流が供給された場合、レンズ保持枠２４２を光軸と平行に移動させる駆動力を発生する。これにより、移動筒２０３の両端に配された第三レンズ群２３０および第五レンズ群２５０の間で、第四レンズ群２４０を光軸Ｘと平行な方向に移動させることができる。
【００５０】
図６は、レンズ鏡筒２００の部分的な断面図であって、図４に点線Ｂで示すように、移動筒２０３を、光軸Ｘを含む水平面で切った様子を示す。図５までと共通の要素には同じ参照番号を付して重複する説明を省く。
【００５１】
図中で上側に位置する一方の案内軸２４１は、既に説明した通り、レンズ保持枠２４２の延伸部２４４に設けられた長穴状の係合穴２４９に挿通される。また、案内軸２４１は、移動筒２０３の端面と、移動筒２０３の内部に設けられた軸支持部２０５との間に両端を挟まれ、光軸Ｘと平行に、移動筒２０３に対して固定される。
【００５２】
これにより、案内軸２４１は、レンズ保持枠２４２を係合支持する。よって、案内軸２４１は、レンズ保持枠２４２が光軸Ｘ方向に移動することを許容しつつ、係合穴２４９を含む延伸部２４４が紙面に垂直に移動することを規制する。
【００５３】
図中で下側に位置する他方の案内軸２４３は、レンズ保持枠２４２の延伸部２４４に対して固定される。また、案内軸２４３は、移動筒２０３の端面と、移動筒２０３の内部に設けられた軸支持部２０５とにそれぞれ設けられた嵌合穴２０９に挿通される。
【００５４】
嵌合穴２０９は、案内軸２４３の外周面と略相補的な内面形状を有して、案内軸２４３を嵌合支持する。これにより、案内軸２４３は、レンズ保持枠２４２が光軸Ｘ方向に移動することを許しつつ、光軸Ｘ方向と交差する方向に移動することを規制する。
【００５５】
また、光軸Ｘ方向について、移動筒２０３の端面と軸支持部２０５とに設けられた嵌合穴２０９の間隔Ｓは、案内軸２４３がレンズ保持枠２４２と共に移動した場合も変化しない。これにより、嵌合支持された案内軸２４３は、レンズ保持枠２４２の位置にかかわらず常に間隔Ｓで支持され、光軸Ｘに対する傾きを強く規制される。
【００５６】
なお、案内軸２４３は、軸支持部２０５の図中左側の端部に、当接面２４８を有する。当接面２４８において、軸支持部２０５に対向する面には、緩衝部材２４５が貼付される。また、当接面２４８において、移動筒２０３の端面に対向する面には、磁性体部材２４７が固定される。緩衝部材２４５は、エラストマ、ゴム等の弾性または粘弾性を有する材料により形成できる。
【００５７】
更に、移動筒２０３の内面において、当接面２４８に対向する面には、係止磁石２０７が固定される。係止磁石２０７は永久磁石を含み、外部から電力等を供給されることなく磁力を発生する。
【００５８】
図示のように、第四レンズ群２４０が前進し切った状態では、移動筒２０３の軸支持部２０５と案内軸２４３の当接面２４８との間に緩衝部材２４５が挟まれる。これにより、当接面２４８が軸支持部２０５に当接した場合の衝撃が緩和される。よって、リニアアクチュエータ２８０により第四レンズ群２４０を図中左側に当たるレンズ鏡筒２００の前方に移動させた場合の他、外部からの衝撃等により第四レンズ群２４０が慮外に前進した場合も、第四レンズ群２４０にかかる衝撃を緩和できる。
【００５９】
なお、一眼レフカメラ１００の電源が投入され、レンズ鏡筒２００が動作している場合、レンズ保持枠２４２は、緩衝部材２４５が軸支持部２０５に当接するまで移動するとは限らない。むしろ、レンズ保持枠２４２は、緩衝部材２４５と軸支持部２０５とが衝突しない範囲を移動し、外部から衝撃を受ける等した場合に例外的に、緩衝部材２４５および軸支持部２０５の当接により停止する。
【００６０】
図７は、レンズ鏡筒２００の部分的な断面図であり、レンズ保持枠２４２が初期位置に係止された状態を示す。図６と共通の要素には同じ参照番号を付して重複する説明を省く。
【００６１】
第四レンズ群２４０は、案内軸２４３の当接面２４８が、移動筒２０３の後側の端面に当接するまで移動できる。よって、図中に矢印で示すように、第四レンズ群２４０の移動範囲Ｔは、当接面２４８の緩衝部材２４５が軸支持部２０５に当接する位置から、当接面２４８の磁性体部材２４７が移動筒２０３の端面に当接するまでの範囲となる。
【００６２】
このような移動範囲Ｔを第四レンズ群２４０が移動した場合も、案内軸２４３を嵌合支持する嵌合穴２０９の間隔Ｓは変化しない。よって、第四レンズ群２４０の光軸Ｘに対する傾きは安定している。
【００６３】
また、当接面２４８が移動筒２０３の端面に当接した場合、磁性体部材２４７が、係止磁石２０７に吸着される。これにより、第四レンズ群２４０は、移動範囲Ｔの後側の端に固定される。
【００６４】
よって、一眼レフカメラ１００の電源が絶たれた状態であっても、レンズ保持枠２４２は、後端の初期位置に係止される。また、外部から振動、衝撃等が加わった場合も案内軸２４３に結合されたレンズ保持枠２４２は係止され、第四レンズ群２４０が他のレンズまたは部材に衝突することが防止される。
【００６５】
なお、一眼レフカメラ１００の電源が投入され、レンズ鏡筒２００が動作している場合、レンズ保持枠２４２は、係止磁石２０７が磁性体部材２４７を吸着するまで移動するとは限らない。むしろ、レンズ保持枠２４２は、磁性体部材２４７が係止磁石２０７に吸着されない範囲で移動し、一眼レフカメラ１００の電源が遮断された場合に、係止磁石２０７の作用により係止される。
【００６６】
また、係止磁石２０７による吸着は、一眼レフカメラ１００の電源が遮断された場合でも維持されるので、一眼レフカメラ１００が次に動作する場合も、レンズ保持枠２４２は初期位置に係止されている。よって、レンズ保持枠２４２の位置の初期化を省くことができ、レンズ保持枠２４２を初期位置に移動させる電力を節約できる。また、一眼レフカメラ１００の起動に要する時間を短縮できる。
【００６７】
更に、永久磁石２８２および係止磁石２０７は、いずれも移動筒２０３に対して固定されており、移動筒２０３に対する相対位置は変化しない。よって、永久磁石２８２および係止磁石２０７が発生した磁力線が、レンズ鏡筒２００に実装された電子回路、磁気センサ等に影響を及ぼすことはない。
【００６８】
上記のようなレンズ鏡筒２００において係止状態にある第四レンズ群２４０を再び移動させる場合は、係止磁石２０７の吸引力に打ち勝って磁性体部材２４７を引きはがすに足る駆動力をリニアアクチュエータ２８０に発生させる。磁性体部材２４７が係止磁石２０７から離間した後は、第四レンズ群２４０、レンズ保持枠２４２、延伸部２４４および案内軸２４１、２４３を移動させるに足る駆動力をリニアアクチュエータ２８０に発生させればよい。
【００６９】
なお、上記の例では、移動筒２０３側に係止磁石２０７を配し、案内軸２４３側に磁性体部材２４７を配した。しかしながら、移動筒２０３側に磁性体部材２４７を配し、案内軸２４３側に係止磁石２０７を配しても同様の機能を実現できることはいうまでもない。
【００７０】
また、上記の例では、案内軸２４３の端部に、係止磁石２０７が吸着する磁性体部材２４７を固定する構造とした。しかしながら、案内軸２４３そのものを磁性体材料により形成して、磁性体部材２４７を省略してもよい。
【００７１】
更に、上記の例では、レンズ保持枠２４２を係合支持する案内軸２４１は移動筒２０３に対して固定され、レンズ保持枠２４２に対して摺動する。一方、レンズ保持枠２４２を嵌合支持する案内軸２４３は、レンズ保持枠２４２と一体的に移動し、移動筒２０３に固定された軸支持部２０５に対して摺動する。しかしながら、両方の案内軸２４１、２４３がレンズ保持枠２４２に対して固定され、レンズ保持枠２４２と一体的に移動するレンズ鏡筒２００においても、上記と同様の係止機構を形成できる。
【００７２】
また更に、両方の案内軸２４１、２４３がレンズ保持枠２４２と一体的に移動する構造にした場合は、両方の案内軸２４１、２４３に対して係止部を形成してもよい。これにより、リニアアクチュエータ２８０への給電が絶たれた場合に、レンズ保持枠２４２をより強固に保持できる。
【００７３】
図８は、他の実施形態に係るレンズ鏡筒２００における移動筒２０３の断面図であって、図６および図７と同じ視点からの断面を示す。次に説明する点を除くと、図６および図７に示した形態と同じ構造を有するので、共通の要素には同じ参照番号を付して重複する説明を省く。
【００７４】
図示の移動筒２０３において、案内軸２４３の磁性体部材２４７は、レンズ保持枠２４２の延伸部２４４前面に、移動筒２０３の前側端面に対向して配される。また、緩衝部材２４５は、延伸部２４４の背面に、軸支持部２０５の前面に対向して配される。これにより、案内軸２４３の当接面２４８は省かれる。
【００７５】
また、係止磁石２０７は、磁性体部材２４７に対向して、移動筒２０３前側端面に配される。更に、係止磁石２０７の周囲には、駆動電流を供給された場合に係止磁石２０７の生じる磁力線を打ち消す極性を有する電磁石２０６が配される。
【００７６】
このように、案内軸２４３を係止する機構は、移動筒２０３の前側端面と軸支持部２０５との間に形成される。これにより、第四レンズ群２４０の移動範囲Ｔは、緩衝部材２４５が軸支持部２０５に当接する位置から、磁性体部材２４７が係止磁石２０７に吸着して当接する位置までの間となる。
【００７７】
図９は、図８に示したレンズ鏡筒２００において、レンズ保持枠２４２が初期位置に係止された状態を示す。図８と共通の要素には同じ参照番号を付して重複する説明を省く。
【００７８】
図示の構造において、レンズ保持枠２４２は、その可動範囲Ｔで最も前方に移動して、磁性体部材２４７が係止磁石２０７に吸着されている。これにより、一眼レフカメラ１００の電源が遮断された場合であっても、レンズ保持枠２４２が、外部からの振動、衝撃等により移動することはない。
【００７９】
また、係止状態にある第四レンズ群２４０を再び移動させる場合、電磁石２０６に通電して、係止磁石２０７の磁力線を打ち消すことにより、リニアアクチュエータ２８０の駆動力を大きくすることなく、磁性体部材２４７を係止磁石２０７から引き離すことができる。
【００８０】
更に、図示の位置を第四レンズ群２４０の初期位置とすることにより、第四レンズ群２４０を初期位置に移動する電力を節約できると共に、レンズ鏡筒２００の初期化動作を短縮できる。
【００８１】
なお、上記の例は、移動筒２０３の前側端面に係止磁石２０７および電磁石２０６を配置し、磁性体部材２４７を延伸部２４４の前面に配した。しかしながら、例えば、係止磁石２０７および電磁石２０６を軸支持部２０５の前面において嵌合穴２０９の周囲に固定し、磁性体部材２４７を延伸部２４４の背面に配してもよい。また、上記の例は、案内軸２４３と結合された延伸部２４４に緩衝部材２４５を配したが、軸支持部２０５に緩衝部材２４５を配してもよい。
【００８２】
また、上記の例は、レンズ保持枠２４２を係合支持する案内軸２４１は移動筒２０３に対して固定され、レンズ保持枠２４２を嵌合支持する案内軸２４３はレンズ保持枠２４２と一体的に移動する構造を有する。しかしながら、両方の案内軸２４１、２４３がレンズ保持枠２４２に対して固定され、レンズ保持枠２４２と一体的に移動するレンズ鏡筒２００においても、上記と同様の係止機構を形成できる。更に、単一の案内軸２４１を備えたレンズ鏡筒２００または、３本以上の案内軸２４１、２４３を備えたレンズ鏡筒２００においても、上記のような係止機構を形成することができる。
【００８３】
図１０は、また他の実施形態に係るレンズ鏡筒２００における移動筒２０３の断面図であって、図６および図７と同じ視点からの断面を示す。次に説明する点を除くと、図６および図７に示した形態と同じ構造を有するので、共通の要素には同じ参照番号を付して重複する説明を省く。
【００８４】
図示の移動筒２０３において、案内軸２４３を係止する機構は、軸支持部２０５および移動筒２０３の後側端面に配された係止ばね２９０を含む。係止ばね２９０は、屈曲した板ばねにより形成され、内側に向かって突出した凸部を有する。
【００８５】
また、案内軸２４３は、後端近傍の周面に周溝２９２を有する。また、案内軸２４３は、延伸部２４４の前面側および背面側に一対の緩衝部材２４５を有する。前側の緩衝部材２４５は、移動筒２０３の前側の端面に対向する。後側の緩衝部材２４５は、軸支持部２０５の前面に対向する。
【００８６】
このような移動筒２０３において、第四レンズ群２４０の移動範囲Ｔは、後側の緩衝部材２４５が軸支持部２０５に当接する位置から、前側の緩衝部材２４５が移動筒２０３の前側端面に当接するまでの間となる。図示のように、第四レンズ群２４０が最も後方に移動している場合、後ろ側の係止ばね２９０の凸部が、案内軸２４３に形成された周溝２９２の凹部にはまり込む。これにより、第四レンズ群２４０は、係止ばね２９０に挟持されて移動範囲Ｔの後端に係止される。
【００８７】
図１１は、図１０に示したレンズ鏡筒２００において、レンズ保持枠２４２が前側の係止位置に係止された状態を示す。図１０と共通の要素には同じ参照番号を付して重複する説明を省く。
【００８８】
図示の構造において、レンズ保持枠２４２は、その可動範囲Ｔで最も前方に移動している。この場合、案内軸２４３における周溝２９２の凹部には、前側の係止ばね２９０の凸部が嵌まり込む。これにより、レンズ保持枠２４２は、移動範囲Ｔの前端に係止される。係止されたレンズ保持枠２４２を再び移動させる場合は、係止ばね２９０の付勢力に打ち勝って案内軸２４３を移動させる駆動力をリニアアクチュエータ２８０に発生させる。
【００８９】
なお、上記の例では２つの係止ばね２９０を用いて、案内軸２４３の移動範囲Ｔの前端および後端においてレンズ保持枠２４２を係止した。しかしながら、単一の係止ばね２９０により、単一の初期位置で案内軸２４３を係止する構造としてもよい。
【００９０】
ここまで、ボイスコイルモータを用いたレンズ鏡筒２００を例にあげて説明した。しかしながら、案内軸２４１、２４３を備えたレンズ鏡筒２００であれば、ボイスコイルモータ以外のアクチュエータを用いたレンズ鏡筒２００であっても上記の構造を適用できる。
【００９１】
また、交換可能なレンズ鏡筒２００を備えた一眼レフカメラ１００を例にあげて説明したが、クイックリターンミラーを備えていないレンズ交換式の撮像装置であっても上記の構造を適用できる。更に、レンズ鏡筒２００とカメラボディ３００が一体に形成されたカメラにおいても上記の構造を適用できる。
【００９２】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【符号の説明】
【００９３】
１００  一眼レフカメラ、２００  レンズ鏡筒、２０１  固定筒、２０３  移動筒、２０５  軸支持部、２０６  電磁石、２０７  係止磁石、２０９  嵌合穴、２１０  第一レンズ群、２１２、２２２、２３２、２３６、２４２、２５２  レンズ保持枠、２１４  繰り出し筒、２１７  駆動環、２１８  回転アクチュエータ、２１９  駆動ギヤ、２２０  第二レンズ群、２２６、２４１、２４３  案内軸、２２８  回転アクチュエータ、２２９  リードスクリュー、２３０  第三レンズ群、２３４  防振レンズ、２４０  第四レンズ群、２４４  延伸部、２４５  緩衝部材、２４６  ボイスコイル、２４７  磁性体部材、２４８  当接面、２４９  係合穴、２５０  第五レンズ群、２６０  レンズ側マウント部、２８０  リニアアクチュエータ、２８２  永久磁石、２８４  ヨーク、２９０  係止ばね、２９２  周溝、３００  カメラボディ、３１０  シャッタユニット、３２０  基板、３２２  制御部、３２４  画像処理部、３３０  撮像素子、３３２  ローパスフィルタ、３４０  表示部、３５０  ファインダ、３５２  フォーカシングスクリーン、３５４  ペンタプリズム、３５６  ファインダ光学系、３６０  ボディ側マウント部、３７０  ミラーユニット、３７１  メインミラー、３７２  メインミラー保持部、３７３  メインミラー回動軸、３７４  サブミラー、３７５  サブミラー保持部、３７６  サブミラー回動軸、３８０  合焦光学系、３８２  焦点検出センサ、３９０  測光センサ
【図１】
2013178376.tif 000003
【図２】
2013178376.tif 000004
【図３】
2013178376.tif 000005
【図４】
2013178376.tif 000006
【図５】
2013178376.tif 000007
【図６】
2013178376.tif 000008
【図７】
2013178376.tif 000009
【図８】
2013178376.tif 000010
【図９】
2013178376.tif 000011
【図１０】
2013178376.tif 000012
【図１１】
2013178376.tif 000013